(57)【特許請求の範囲】
【請求項１】
表面材間に芯材を設けて構成される壁パネルにおいて、
前記表面材は、通常の面材にこれよりも強度の高い補強面材を面一の状態で連設して構成されており、当該補強面材を、建立された際に床面側となる表面材下部に設けると共に、この補強面材の上縁には芯材方向に斜めに立ち上がる傾斜フランジを設け、面材の下縁には前記芯材方向に鋭角に折り返された折り返しフランジを設けて両フランジを密着結合したことを特徴とする壁パネル。
【発明の詳細な説明】
【０００１】
【発明の属する技術分野】
本発明は、例えばプレハブ冷蔵庫・冷凍庫やクリーンルーム等の建造物の床面に建立される壁パネルに関するものである。
【０００２】
【従来の技術】
従来よりこの種壁パネルは、例えば特開平７−２９４１１０号（Ｆ２５Ｄ２３／０６）に示され、プレハブ冷蔵庫の建設などに使用される。このプレハブ冷蔵庫は、例えば屠畜場等に用いられるが、壁パネルは表面材間に芯材を設けて構成され、コンクリート製などの床面に建立されるものである。
【０００３】
この場合、壁パネルは図４に示す如き表面材１０６、１０６間に芯材８が設けられたもので、通常大きな衝撃が加わらない状態で使用される仕様となっている。係る壁パネル１０５の両表面材１０６、１０６は全面が所定厚さのカラー鋼板やステンレス板或いはアルミニウム板などで構成されているが、プレハブ冷蔵庫の床４に建立された壁パネル１０５は、庫内での作業により台車などが接触すると、凹んで変形してしまったり、破損してしまう場合があった。
【０００４】
そこで、従来では壁パネル１０５下部の表面材１０６（この場合、作業により台車などが接触し易い表面材１０６の下方部分）に更に別の補強板１０７を重ね合わせて貼り付け、表面材１０６の強度アップを図っていた。そして、この場合には補強板１０７の上端部１０７Ａを含む全体を表面材１０６に密着させ、補強板１０７と表面材１０６間の間に水滴や塵埃などが侵入して雑菌が繁殖しないように配慮していた。
【０００５】
【発明が解決しようとする課題】
このように従来では壁パネル１０５の変形し易い表面材１０６に更に別の補強板１０７を貼り付けることにより壁パネル１０５の強度アップを図っていたが、経年使用で重ね合わせた補強板１０７の先端と表面材１０６とに隙間ができ、その隙間に水滴や塵埃などが侵入して雑菌が繁殖し不衛生となってしまう問題があった。
【０００６】
また、壁パネル１０５の表面材１０６に別の補強板１０７を貼り付けると、壁パネルの強度アップはできるが壁パネルのコストが高騰してしまう問題があった。
【０００７】
本発明は、係る従来技術の課題を解決するために成されたものであり、衛生的で強度を損ねず、且つ、コストの低減を図った壁パネルを提供することを目的とする。
【０００８】
【課題を解決するための手段】
即ち、請求項１の発明の壁パネルは、表面材間に芯材を設けて構成されるもので、表面材は、通常の面材にこれよりも強度の高い補強面材を面一の状態で連設して構成されており、補強面材を、床面側となる壁パネル下部に設けると共に、この補強面材の上縁には芯材方向に斜めに立ち上がる傾斜フランジを設け、面材の下縁には芯材方向に鋭角に折り返された折り返しフランジを設けて両フランジを密着結合したものである。
【０００９】
【発明の実施の形態】
次に、図面に基づき本発明の実施形態を詳述する。図１は本発明の壁パネル５を適用したプレハブ冷蔵庫１の斜視図、図２はコンクリートの床４に建立した本発明の壁パネル５の断面図をそれぞれ示している。尚、各図において同一符号で示すものは同一のものとする。
【００１０】
図１において、１はプレハブ冷蔵庫、２はプレハブ冷蔵庫１の冷却装置を構成する室外機、３は同じく冷却装置を構成する室内機、４はコンクリート製の床、５は壁パネルである。実施例のプレハブ冷蔵庫１は屠畜場として用いられるもので、室内は室外機２及び室内機３などで構成される冷却装置の室内機３にて冷却される。そして、床４周囲に壁パネル５が建立されたプレハブ冷蔵庫１の室内で食肉加工が実施されるものである。
【００１１】
壁パネル５は、対向して設けられた表面材１１、１２間に断熱材で構成された芯材８を充填して構成したもので、室内側となる表面材１２上側に設けられた面材６と、この面材６の下側に設けられた補強面材７とから構成されている。両表面材１１と面材６は、前述の表面材１０６同様の所定厚さのカラー鋼板やステンレス板或いはアルミニウム板などにて構成されており、補強面材７は表面材１１や面材６より強度の強い（或いは厚い）カラー鋼板やステンレス板及びアルミニウム板などで構成されている。
【００１２】
補強面材７の上縁は芯材８側に折曲され、そこに傾斜フランジ７Ａが設けられており、この傾斜フランジ７Ａは水平より先端が高くなるよう傾斜して折曲されている。即ち、傾斜フランジ７Ａは芯材８方向に斜めに立ち上がって折曲されている。この傾斜フランジ７Ａは後述する面材６に設けられた折り返しフランジ６Ａに対応して設けらる。
【００１３】
また、補強面材７の上側に設けられた面材６の下縁にも芯材８側に折曲した折り返しフランジ６Ａが設けられており、この折り返しフランジ６Ａも先端が水平より高くなるよう傾斜して折曲されている。即ち、折り返しフランジ６Ａは芯材８方向に鋭角に折り返されている。係る折り返しフランジ６Ａは前記補強面材７に対向して設けられると共に、面材６と補強面材７とが面一状態で上下に連接された状態で、折り返しフランジ６Ａと傾斜フランジ７Ａとは密着する。尚、９は螺子等の保持部材で、この保持部材９により折り返しフランジ６Ａと傾斜フランジ７Ａとが離間しないように保持されると共に、折り返しフランジ６Ａと傾斜フランジ７Ａとが隙間無く密着される（図３）。
【００１４】
このように、プレハブ冷蔵庫１の壁パネル５の通常強度の面材６下側に補強面材７を面一状態で連接し、更に両フランジ６Ａ、７Ａを壁パネル５の芯材８側に折曲させると共に、両フランジ６Ａ、７Ａの先端を水平より上方となるよう傾斜して折曲させているので、従来の壁パネルのように格別な補強板を貼り付けることなく、壁パネル５の補強必要箇所の強度アップを図ることができるようになる。
【００１５】
また、密着する両フランジ６Ａ、７Ａの先端は水平より高くなるように傾斜しているので、面材６表面を流下する水滴或いは塵埃などが両フランジ６Ａ、７Ａ間から芯材８内に侵入してしまう不都合も未然に阻止することが可能となる。これにより、表面材６と補強面材７間に水滴や塵埃が侵入し、雑菌が繁殖する不都合を解消することができるようになる。
【００１６】
また、補強面材７の上端に面材６の下端を接続しているので、面材６と補強面材７とに設けられた両フランジ６Ａ、７Ａの外面部分を平面に形成することが可能となる。これにより、面材６より補強面材７が突出せず、外観を向上させることが可能となる。また、壁パネル５は強度を必要とする箇所のみ補強面材７を設ければよいので、壁パネル５の製造コストも大幅に低減させることができるようになる。
【００１７】
尚、実施例では断熱材を芯材とした壁パネルについて説明したが、それに限らず、ハニカム材などを芯材としたものでも良い。
【００１８】
【発明の効果】
以上詳述した如く本発明によれば、表面材間に芯材を設けて構成される壁パネルにおいて、表面材を、通常の面材にこれよりも強度の高い補強面材を面一の状態で連設することにより構成したので、格別な補強板を貼り付けること無く、壁パネルの必要箇所を補強することができるようになる。これにより、従来の如く補強板と表面材との間に塵埃が侵入し、雑菌が繁殖する不都合も解消され、食品衛生が要求される建物やクリーンルームなどに極めて好適なものとなると共に、外観も向上する。また、表面材全体を補強面材にて構成するのでは無く、必要箇所のみ補強面材とするので、コストも低減されるものである。
【００１９】
特に、補強面材を、床面側となる壁パネル下部に設けると共に、この補強面材の上縁には芯材方向に斜めに立ち上がる傾斜フランジを設け、面材の下縁には芯材方向に鋭角に折り返された折り返しフランジを設けて両フランジを密着結合したので、最も補強を要する床面付近の強度を向上させることができると共に、面材と補強面材との接合部分から塵埃や雑菌が侵入し難くなり、より一層衛生的な壁パネルとなる。
【００２０】
また、面材と補強面材との接合部分となるフランジは外から見えなくなるので、外観が一層向上するものである。
【図面の簡単な説明】
【図１】  本発明の壁パネルを適用したプレハブ冷蔵庫の斜視図である。
【図２】  コンクリートの床に建立した本発明の壁パネルの断面図である。
【図３】  図２の丸印部分（表面材と補強面材の接合部）の拡大図である。
【図４】  表面材に補強板を貼り付けた従来の壁パネルの断面図である。
【図５】  図４の丸印部分（重ねて貼り付けた表面材の先端部分）の拡大図である。
【符号の説明】
１  プレハブ冷蔵庫
２  室外機
３  室内機
４  床
５  壁パネル
６  面材
６Ａ  折り返しフランジ
７  補強面材
７Ａ  傾斜フランジ
８  芯材
９  保持部材
１１、１２  表面材
【図１】
0003655818.tif 000002
【図２】
0003655818.tif 000003
【図３】
0003655818.tif 000004
【図４】
0003655818.tif 000005
【図５】
0003655818.tif 000006